(57)【要約】      （修正有）【課題】側柱を設定するのに時間が掛からず、大きな力を必要とせず、又、地震、強い振動等が発生しても、側柱が容易に離脱してしまう虞のない日除け装置の側柱設定機構を提供する。【解決手段】側柱１１の下端部に嵌合させた側柱嵌合部材２と、下部パッドに圧嵌させた下側当接部材４と、その下端部を下側当接部材４に嵌合させ、その上端部を側柱嵌合部材２に挿通させた案内杆５と、案内杆５の中間部に挿通させた上側当接部材３と、上側当接部材３と下側当接部材４との間に介在させた弾性部材６と、前記側柱嵌合部材２と前記上側当接部材３とを連結するリンク機構と、から側柱設定機構１を構成する。【選択図】図１
2005220586.tif 000002
【特許請求の範囲】
【請求項１】
側柱の下端部に嵌合させた側柱嵌合部材と、下部パッドに圧嵌させた下側当接部材と、その下端部を下側当接部材に嵌合させ、その上端部を側柱嵌合部材に挿通させた案内杆と、案内杆の中間部に挿通させた上側当接部材と、上側当接部材と下側当接部材との間に介在させた弾性部材と、前記側柱嵌合部材と前記上側当接部材とを連結するリンク機構と、から構成したことを特徴とする日除け装置の側柱設定機構。
【請求項２】
前記リンク機構は、前記側柱嵌合部材にその中間部を軸支したレバーと、前記上側当接部材にその一端部を軸支したクランクとから成り、前記レバーの基端部と前記クランクの他端部とを軸支した構成であることを特徴とする請求項１に記載の日除け装置の側柱設定機構。
【請求項３】
前記リンク機構は、前記上側当接部材にその基端部を軸支したレバーと、前記上側当接部材にその基端部を軸支したストッパーと、前記上側当接部材にその一端部を軸支した第１クランクと、前記側柱嵌合部材にその一端部を軸支した第２クランクとから成り、前記第１クランクの他端部と前記第２クランクの他端部とを軸支した構成であることを特徴とする請求項１に記載の日除け装置の側柱設定機構。
【発明の詳細な説明】
【技術分野】
【０００１】
本発明は、建屋の軒先に２本の側柱を着脱可能に設置し、この２本の側柱間にルーフシートを張設できるようにした日除け装置の側柱設定機構に関する。
【背景技術】
【０００２】
従来、住家や店舗等の軒先に庇を延長させて日陰をつくる目的で、日除け装置を取り付けている建家をよく見受けるが、殆どの日除け装置は、ルーフシートを繰り出すドラム本体を建家に作り付けにしたり、支柱に固定したりしているので、日除け装置の建家への取り付けや取り外し作業に手間が掛かると共に、実使用上不便であるという問題がある。
【０００３】
そこで、本願発明者は、図５に示すように、建屋の軒天井Ａと床面Ｂ間に着脱可能に２本の側柱１１，１１を架設し、側柱１１，１１の上端間にドラム本体１２２の両端を着脱自在に取り付け、ルーフシート１２１の先端に固定した張出用バー１２５の両端にサイドポール１３の一端を嵌着し、サイドポール１３の他端を側柱１１の中間部に固定し、サイドポール１３の傾斜角度を調節することによって、ルーフシート１２１の迫り出し度合を設定するようにした日除け装置１を開発した（特許文献１参照）。
【０００４】
この日除け装置１では、図６に示すように、側柱１１を小径の柱上段部１１−１と大径の柱下段部１１−２とから構成し、柱上段部１１−１を柱下段部１１−２に挿嵌し、挿嵌した部位に柱接続部材１１−３を配置して連結してある。そして、柱下段部１１−２の下方に高さ調整部材１１４を固着した下部パット１１５を配設し、柱下段部１１−２と高さ調整部材１１４とを螺合させ、高さ調整部材１１４を回転させて側柱１１の高さを適宜増大させ、側柱１１を軒天井Ａと床面Ｂとの間に架設するようにした。
【０００５】
【特許文献１】特開２００２−２１３０５６号公報
【発明の開示】
【発明が解決しようとする課題】
【０００６】
しかし、上記日除け装置１では、柱下段部１１−２と高さ調整部材１１４とを螺合し、高さ調整部材１１４を回転させて側柱１１の高さを適宜増大させていたから、高さ調整部材１１４を何回転かさせる必要があり、側柱１１を設定するには時間が掛かった。
【０００７】
又、側柱１１によって軒天井Ａ及び床面Ｂに剛性的に圧力を付加しているから、高さ調整部材１１４を回転させるには比較的大きな力が必要であり、老人、女性、子供等にとっては、側柱１１を設定するのは容易ではなかった。
【０００８】
さらに、側柱１１によって軒天井Ａ及び床面Ｂに剛性的に圧力を付加しているだけであるから、地震、強い振動等が発生して、軒天井Ａと床面Ｂとが若干でも水平方向にずれたり、垂直方向に離れたりすると、側柱１１が容易に離脱してしまう虞があった。
【０００９】
本発明は、上記従来の問題点に鑑みて為されたものであって、側柱１１を設定するのに時間が掛からず、側柱１１を設定するのには大きな力を必要とせず、又、地震、強い振動等が発生しても、側柱１１が容易に離脱してしまう虞のない日除け装置の側柱設定機構を提供することを目的とする。
【課題を解決するための手段】
【００１０】
上記目的を達成するため、本発明は、側柱の下端部に嵌合させた側柱嵌合部材と、下部パッドに圧嵌させた下側当接部材と、その下端部を下側当接部材に嵌合させ、その上端部を側柱嵌合部材に挿通させた案内杆と、案内杆の中間部に挿通させた上側当接部材と、上側当接部材と下側当接部材との間に介在させた弾性部材と、前記側柱嵌合部材と前記上側当接部材とを連結するリンク機構と、から構成したことを特徴とする。
【００１１】
ここで、前記リンク機構は、前記側柱嵌合部材にその中間部を軸支したレバーと、前記上側当接部材にその一端部を軸支したクランクとから成り、前記レバーの基端部と前記クランクの他端部とを軸支した構成としてもよい。
【００１２】
又、前記リンク機構は、前記上側当接部材にその基端部を軸支したレバーと、前記上側当接部材にその基端部を軸支したストッパーと、前記上側当接部材にその一端部を軸支した第１クランクと、前記側柱嵌合部材にその一端部を軸支した第２クランクとから成り、
前記第１クランクの他端部と前記第２クランクの他端部とを軸支した構成としてもよい。
【発明を実施するための最良の形態】
【００１３】
以下、本発明の日除け装置の側柱設定機構の好適な実施形態について、図面を参照して具体的に説明する。
【実施例１】
【００１４】
図１は、本発明の日除け装置の側柱設定機構の一実施例の一部切断正面図であり、図２は、図１に示す側柱設定機構の使用方法を示す一部切断正面図である。
【００１５】
本発明の日除け装置の側柱設定機構１は、図１に示すように、側柱嵌合部材２、上側当接部材３、下側当接部材４、案内杆５、弾性部材６、レバー７、クランク８、蛇腹部材９等から構成される。
【００１６】
側柱嵌合部材２は、小径嵌合部１０及び大径円板部１１から構成され、中央部に貫通孔１２を穿設してあると共に、大径円板部１１に挿通孔１１ａを穿設してある。
そして、小径嵌合部１０を柱下段部１１−２の下端部に嵌合させると共に、大径円板部１１の上面を柱下段部１１−２の下端面に当接させてある。
【００１７】
下側当接部材４は、小径嵌合部１３、大径円板部１４及び小径嵌着部１５から構成され、小径嵌着部１５を下部パッド１１５の嵌着孔１１５ａに圧嵌させると共に、大径円板部１４の下面を下部パッド１１５の上面に当接させてある。
【００１８】
上側当接部材３は、大径円板部１６及び小径円板部１７から構成され、中央部に貫通孔１８を穿設してあると共に、大径円板部１６に挿通孔１６ａを穿設してある。
【００１９】
案内杆５は、図１に示すように、その下端部を下側当接部材４の小径嵌合部１３に嵌合させ、その中間部を上側当接部材３の貫通孔１８に挿通させ、その上端部を側柱嵌合部材２の貫通孔１２に挿通させてある。
【００２０】
弾性部材６は、前記案内杆５の周囲に配設してあり、その上端を上側当接部材３の小径円板部１７に当接させ、その下端を下側当接部材４の大径円板部１４に当接させてある。
【００２１】
レバー７は、円環状を呈する把持部１９の両側から杆状部２０，２０を延出させてあり、把持部１９の内周曲率半径は、柱下段部１１−２の外周半径と略同一としてある。
又、杆状部２０の基端部には挿通孔２０ａ，２０ｂを穿設してあり、この挿通孔２０ａ及び前記側柱嵌合部材２の挿通孔１１ａにピン２１を挿通させ、レバー７を回動自在としてある。
【００２２】
クランク８は、その両端部に挿通孔８ａ，８ｂを穿設してあり、この挿通孔８ａ及び前記レバー７の挿通孔２０ｂにピン２２を挿通させ、互いに揺動自在としてある。
又、挿通孔８ｂ及び前記上側当接部材３の挿通孔１６ａにピン２３を挿通させ、クランク８を回動自在としてある。
【００２３】
蛇腹部材９は、下側当接部材４と上側当接部材３との間に配設してあり、蛇腹部材９の下端嵌合部２４を前記下側当接部材４の大径円板部１４に嵌着させ、蛇腹部材９の上端嵌合部２５を前記上側当接部材３の小径円板部１７に嵌着させ、前記弾性部材６の配設部分を被覆するようにしてある。
【００２４】
本発明の日除け装置の側柱設定機構１は、以上のような構成であり、一人の作業者が側柱１１を把持して保持している間に、もう一人の作業者が側柱設定機構１を操作することによって、側柱１１の高さを増大させ、側柱１１を軒天井Ａと床面Ｂとの間に設定、架設することができる。
【００２５】
通常時には、図２（Ａ）に示すように、レバー７は略水平状態に倒伏しており、側柱嵌合部材２は上側当接部材３に近接しているので、側柱１１の上部パッド１１１と軒天井Ａとの間には若干空間が存在している。
【００２６】
作業者がレバー７の把持部１９を手で把持し、図２（Ｂ）に示すように、レバー７を上方に回動させて、略垂直状態に起立させれば、側柱嵌合部材２は上側当接部材３から離間して、側柱１１の上部パッド１１１は軒天井Ａに押圧されるので、側柱１１は軒天井Ａと床面Ｂとの間に設定、架設される。
【００２７】
ここで、レバー７の把持部１９の内周曲率半径は、柱下段部１１−２の外周半径と略同一としてあるから、レバー７は柱下段部１１−２に沿って位置し、設定後に邪魔になることはない。
【００２８】
一方、側柱１１を軒天井Ａと床面Ｂとの間から離脱させるには、作業者がレバー７の把持部１９を手で把持し、レバー７を下方に回動させればよい。これによって、図２（Ａ）に示すように、通常時の状態に戻るので、側柱１１を軒天井Ａと床面Ｂとの間から容易に離脱させることができる。
【００２９】
このように、本発明の日除け装置の側柱設定機構１によれば、作業者がレバー７の把持部１９を手で把持し、レバー７を上方に回動させ、略垂直状態に起立させるだけで、側柱１１の高さを増大させることができるから、側柱１１を設定するのに時間が掛からない。
【００３０】
又、レバー７を上方に回動させ、略垂直状態に起立させるだけで、側柱１１によって軒天井Ａ及び床面Ｂに弾性的に圧力を付加することができるから、側柱１１を設定するのに大きな力は必要ではなく、老人、女性、子供等でも容易に設定することができる。
【００３１】
さらに、側柱１１によって軒天井Ａ及び床面Ｂに弾性的に圧力を付加するから、地震、強い振動等が発生して、軒天井Ａと床面Ｂとが若干水平方向にずれたり、垂直方向に離れたりしても、側柱１１が容易に離脱してしまう虞はない。
【実施例２】
【００３２】
図３は、本発明の日除け装置の側柱設定機構の他実施例の一部切断正面図であり、図４は、図３に示す側柱設定機構の使用方法を示す一部切断正面図である。
【００３３】
本発明の日除け装置の側柱設定機構５１は、図３に示すように、側柱嵌合部材２、上側当接部材３、下側当接部材４、案内杆５、弾性部材６、蛇腹部材９、レバー５２、第１クランク５３、第２クランク５４、ストッパー５５等から構成される。
【００３４】
ここで、側柱嵌合部材２、上側当接部材３、下側当接部材４、案内杆５、弾性部材６及び蛇腹部材９の構成及び配置は、上記実施例１の側柱設定機構１と同様である。
【００３５】
レバー５２は、円環状を呈する硬質ゴム製の足踏部５６の両側に杆状部５７，５７の先端部を固着してあり、足踏部５６の内周曲率半径は、柱下段部１１−２の外周半径と略同一としてあり、杆状部５７の基端部には挿通孔５７ａを穿設してある。
【００３６】
第１クランク５３は、その一端部及び中間部に挿通孔５３ａ，５３ｂを穿設してあり、
その他端部には係止部５３ｃを形成してある。
【００３７】
第２クランク５４は、その一端部及び中間部に挿通孔５４ａ，５４ｂを穿設してあり、
さらに、その中間部には係合切欠部５４ｃを形成してある。
【００３８】
ストッパー５５は、略Ｔ形状を呈し、その基端部には挿通孔５５ａを穿設してあり、一方の先端部には係合突出部５５ｂを形成し、他方の先端部には解除摘み部５５ｃを形成してある。
【００３９】
そして、レバー５２の挿通孔５７ａ、第１クランク５３の挿通孔５３ｂ、ストッパー５５の挿通孔５５ａ及び前記上側当接部材３の挿通孔１５ａにピン５８を挿通させ、レバー５２、第１クランク５３及びストッパー５５を回動自在としてある。
【００４０】
又、第２クランク５４の挿通孔５４ａ及び前記側柱嵌合部材２の挿通孔１０ａにピン５９を挿通させ、第２クランク５４を回動自在としてある。
【００４１】
又、第１クランク５３の挿通孔５３ａ及び第２クランク５４の挿通孔５４ｂにピン６０を挿通させ、互いに揺動自在としてある。
【００４２】
本発明の日除け装置の側柱設定機構５１は、以上のような構成であり、一人の作業者が側柱１１を把持して保持しつつ、側柱設定機構５１を操作することによって、側柱１１の高さを増大させ、側柱１１を軒天井Ａと床面Ｂとの間に設定、架設することができる。
【００４３】
通常時には、図４（Ａ）に示すように、レバー５２は水平より若干上方に傾斜した状態に倒伏しており、側柱嵌合部材２は上側当接部材３に近接しているので、側柱１１の上部パッド１１１と軒天井Ａとの間には若干空間が存在している。
【００４４】
先ず、作業者がレバー５２の足踏部５６に足を載せ、図４（Ｂ）に示すように、足でレバー５２を下方に回動させれば、第２クランク５４の係合切欠部５４ｃにストッパー５５の係合突出部５５ｂが嵌入し、第１クランク５３、第２クランク５４及びストッパー５５が完全に固定され、側柱嵌合部材２が上側当接部材３から離間して、側柱１１の上部パッド１１１は軒天井Ａに押圧されるので、側柱１１は軒天井Ａと床面Ｂとの間に設定、架設される。
【００４５】
次に、作業者がレバー５２の足踏部５６を手で把持し、図４（Ｃ）に示すように、レバー５２を上方に回動させて、略垂直状態に起立させれば、レバー５２は柱下段部１１−２に沿って位置させることができる。
ここで、レバー５２の足踏部５６の内周曲率半径は、柱下段部１１−２の外周半径と略同一としてあるから、レバー５２は柱下段部１１−２に沿って位置し、設定後に邪魔になることはない。
【００４６】
一方、側柱１１を軒天井Ａと床面Ｂとの間から離脱させるには、先ず、作業者はレバー５２の足踏部５６を手で把持し、図４（Ｂ）に示すように、レバー５２を水平より若干下方に傾斜した状態に倒伏させる。
【００４７】
次に、作業者がレバー５２の足踏部５６に足を載せて押圧しつつ、手でストッパー５５の解除摘み部５５ｃを下方に回動させ、第２クランク５４の係合切欠部５４ｃからストッパー５５の係合突出部５５ｂを脱出させる。これによって、図４（Ａ）に示すように、通常時の状態に戻るので、側柱１１を軒天井Ａと床面Ｂとの間から容易に離脱させることができる。
【００４８】
このように、本発明の日除け装置の側柱設定機構５１によれば、一人の作業者がレバー５２の足踏部５６を足で押圧し、レバー５２を下方に回動させるだけで、側柱１１の高さを増大させることができるから、側柱１１を設定するのに時間が掛からない。
【００４９】
又、レバー５２の足踏部５６を足で押圧し、レバー５２を下方に回動させるだけで、側柱１１によって軒天井Ａ及び床面Ｂに弾性的に圧力を付加することができるから、側柱１１を設定するのに大きな力は必要ではなく、老人、女性、子供等でも容易に設定することができる。
【００５０】
さらに、側柱１１によって軒天井Ａ及び床面Ｂに弾性的に圧力を付加するから、地震、強い振動等が発生して、軒天井Ａと床面Ｂとが若干水平方向にずれたり、垂直方向に離れたりしても、側柱１１が容易に離脱してしまう虞はない。
【図面の簡単な説明】
【００５１】
【図１】本発明の日除け装置の側柱設定機構の一実施例の一部切断正面図である。
【図２】図１に示す側柱設定機構の使用方法を示す一部切断正面図である。
【図３】本発明の日除け装置の側柱設定機構の他実施例の一部切断正面図である。
【図４】図３に示す側柱設定機構の使用方法を示す一部切断正面図である。
【図５】従来の日除け装置の外観斜視図である。
【図６】図５に示す日除け装置の側柱の正面図である。
【符号の説明】
【００５２】
１  日除け装置の側柱設定機構
２  側柱嵌合部材
３  上側当接部材
４  下側当接部材
５  案内杆
６  弾性部材
７  レバー
８  クランク
【図１】
2005220586.tif 000003
【図２】
2005220586.tif 000004
【図３】
2005220586.tif 000005
【図４】
2005220586.tif 000006
【図５】
2005220586.tif 000007
【図６】
2005220586.tif 000008